(57)【要約】【課題】吸着力の探知装置を提供する。【解決手段】主に片側に容置区を備えるハウジング、該ハウジング中に設置する吸着機構、該容置区中に設置する探知機構を含む。該容置区の片面上にはウィンドウ部を設置し、該探知機構は少なくとも結合台、圧迫固定ユニット、表示ユニット、弾性部品３４を含む。該圧迫固定ユニットは該結合台中に可動設置し、該表示ユニットは該圧迫固定ユニット上に嵌設し、該弾性部品３４は両端にそれぞれ該結合台３１と該表示ユニット３３を連接する。該圧迫固定ユニットの一端は該結合台において露出し、しかも該表示ユニットの片面には該容置区が設置するウィンドウ部と対応する２個の識別区を備える。これにより、該吸着機構を壁面に設置する時には、探知ユニットを利用し吸着機構の吸着状況を随時探知し、使用時に脱落が発生することを防止する。【選択図】図１
0003132343.tif 000002
【実用新案登録請求の範囲】
【請求項１】
主にハウジング、吸着機構、探知機構を含み、
該ハウジングの片側には容置区を備え、しかも該容置区の片面上にはウィンドウ部を設置し、
該吸着機構は該ハウジング中に設置し、
該探知機構は該ハウジングの容置区中に設置し、該探知機構は少なくとも結合台、圧迫固定ユニット、表示ユニットを含み、該圧迫固定ユニットは該結合台中に可動設置し、該表示ユニットは該圧迫固定ユニット上に嵌設し、両端にはそれぞれ該結合台と該表示ユニットの弾性部品を連接し、該圧迫固定ユニットの一端は該結合台において露出し、しかも該表示ユニットの片面には該容置区が設置するウィンドウ部と対応する２個の識別区を備えることを特徴とする吸着力の探知装置。
【請求項２】
前記ハウジングは片側に欠口を備える底台、及び中央位置に穿孔を設置する上蓋により構成し、該容置区は該底台片側に設置し、しかも該容置区の両側にはそれぞれ固定孔を備えることを特徴とする請求項１に記載の吸着力の探知装置。
【請求項３】
前記吸着機構は少なくとも吸盤、弾性部品、レバー、スタッフを含み、
該吸盤は該ハウジング一端面に設置し、該弾性部品は該吸盤と該ハウジング間に設置し、該レバーは該ハウジングの反対端面に設置し、しかも一端にはスリーブを備え、該スタッフは該スリーブ中に設置し、しかも該吸盤と連接することを特徴とする請求項１に記載の吸着力の探知装置。
【請求項４】
前記スリーブ中の内側壁には導引部を環状に設置し、該導引部は相互に対応する２個の平面、及び各平面間に設置する斜面により構成し、該スタッフの外側壁には該導引部と対応するスライドブロックを備えることを特徴とする請求項３に記載の吸着力の探知装置。
【請求項５】
前記スタッフは固定部品と該吸盤に対応し連接することを特徴とする請求項３に記載の吸着力の探知装置。
【請求項６】
前記結合台上には凹槽を備え、しかも該結合台の底部には該凹槽と連通する穿孔を備え、該結合台の両側にはそれぞれ嵌接部を備えることを特徴とする請求項１に記載の吸着力の探知装置。
【請求項７】
前記圧迫固定ユニットは両側には凹弧面を備える圧押ブロック、及び該圧押ブロック底面に設置し、しかも該結合台において露出するプローブにより構成することを特徴とする請求項１に記載の吸着力の探知装置。
【請求項８】
前記表示ユニットの内側壁には該圧迫固定ユニットと対応する斜凸ブロックを備えることを特徴とする請求項１に記載の吸着力の探知装置。
【請求項９】
前記表示ユニットの２個の識別区は異なる識別色を備えることを特徴とする請求項１に記載の吸着力の探知装置。
【考案の詳細な説明】
【技術分野】
【０００１】
本考案は一種の吸着力の探知装置に関する。特に一種の随時吸着ユニットの吸着状況を探知し、使用時のキャリアの脱落を防止することができる吸着力を探知可能な吸着装置に係る。
【背景技術】
【０００２】
公知の吸着装置は、その運用時、通常は吸盤上に手すり、サポートフレーム、棚などのキャリアを設置し、吸盤をタイル等の滑らかな材質の壁面上に吸着させ、該キャリアを固設し使用の効果と機能を達成するものである。
【０００３】
上記公知のキャリアは吸盤により壁面上において該キャリアを固設する使用の効果と機能を達成することはできるが、該吸盤はタイルの壁面、或いは滑らかな材質の壁面において使用するよう設計されており、さもなくば吸着の効果を達成することはできない。しかし、もし浴室における使用、或いはある一定時間の吸着使用の後には、外部環境及び積載可能重量を越えた物品の積載の影響で、吸盤が緩み、滑動する状況が発生するが、該吸盤に緩み、滑動の状況が発生しても、その外観からは一切の異状は見受けられないため、一般の使用者には吸盤が脱落及び滑動の状況にあることが察知されない。この状態で使用者が使用を継続すれば、吸着力不足により吸盤及びそれに配置するキャリアが脱落し、キャリア上の物体が落下するという状況が発生する。
【考案の開示】
【考案が解決しようとする課題】
【０００４】
本考案は上記構造の問題点を解決した吸着力の探知装置を提供するものである。
【課題を解決するための手段】
【０００５】
上記課題を解決するため、本考案は下記の吸着力の探知装置を提供する。
【０００６】
それは吸着機構を壁面に設置する時には、探知ユニットを利用し吸着機構の吸着状況を随時探知し、使用時に脱落が発生することを防止し、すなわちそれは吸着力の探知装置を提供し、片側に容置区を備えるハウジングを含み、該容置区の片面上にはウィンドウ部を設置し、さらに該ハウジング中に設置する吸着機構を含み、及び該容置区中に設置する探知機構を含み、該探知機構は少なくとも結合台を含み、さらに該結合台中に可動設置する圧迫固定ユニットを含み、また該圧迫固定ユニット上に嵌設する表示ユニットを含み、及び両端にそれぞれ該結合台と該表示ユニットを連接する弾性部品を含み、該圧迫固定ユニットの一端は該結合台において露出し、しかも該表示ユニットの片面には該容置区が設置するウィンドウ部と対応する２個の識別区を備える吸着力の探知装置を提供する。
【考案の効果】
【０００７】
上記のように、本考案吸着力の探知装置は公知構造の欠点を効果的に改善可能で、吸着機構を壁面に設置する時には、探知ユニットを利用し吸着機構の吸着状況を随時探知し、使用時に脱落が発生することを防止することができる。
【考案を実施するための最良の形態】
【０００８】
それぞれ本考案の立体分解指示図、本考案の立体外観指示図である図１、２に示すように、本考案吸着力の探知装置はハウジング１、吸着機構２及び探知機構３により構成し、該吸着機構２を壁面に設置する時には、該探知ユニット３を利用し該吸着機構２の吸着状況を随時探知し、使用時に脱落が発生することを防止する。
【０００９】
上記ハウジング１は片側に欠口１１１を備える上蓋１１、及び中央位置に穿孔１２１を設置する底台１２により構成し、該底台１２の片側には容置区１３を備える。該容置区１３の片面上にはウィンドウ部１３１を設置し、しかも該容置区１３の両側にはそれぞれ固定孔１３２を備える。
【００１０】
該吸着機構２は上記ハウジング１中に設置し、しかも該吸着機構２は少なくとも吸盤２１、弾性部品２２、スリーブ２３、レバー２４、スタッフ２５を含む。
【００１１】
該吸盤２１は該底台１２底面に設置し、しかも柱体２１１を備え該穿孔１２１を貫通可能である。
【００１２】
該弾性部品２２は該吸盤２１と該底台１２間に設置する。
【００１３】
該レバー２４は該底台１２頂面に可動設置し、しかも一端にスリーブ２３を備え該上蓋１１が設置する欠口１１１中において位置を限定する。
【００１４】
該スタッフ２５は該スリーブ２３中に設置し、しかも固定部品２５１と該吸盤２１が設置する柱体２１１により連接する。
【００１５】
該スリーブ２３の内側壁には導引部２３１を環状に設置し、該導引部２３１は相互に対応する２個の平面２３１１、及び該各平面２３１１間に設置する斜面２３１２により構成し、該スタッフ２５の外側壁には該導引部２３１と対応するスライドブロック２５２を備える。
【００１６】
該探知機構３は該底台１２片側の容置区１３中に設置し、該探知機構３は少なくとも結合台３１を含む。該結合台３１上には凹槽３１１を備え、しかも該結合台３１の底部には該凹槽３１１と連通する穿孔３１２を備え、該結合台３１の両側にはそれぞれ該容置区１３両側の固定孔１３１と結合する嵌接部３１３を備える。
【００１７】
該結合台３１が設置する凹槽３１１中には圧迫固定ユニット３２を可動設置する。該圧迫固定ユニット３２は両側に凹弧面３２１１を備える圧押ブロック３２１、及び該圧押ブロック３２１底面に設置し、しかも該結合台３１が設置する穿孔３１２において露出するプローブにより構成する。
【００１８】
該圧迫固定ユニット３２上に嵌設する表示ユニット３３の内側壁には該圧押ブロック３２１両側の凹弧面３２１１と対応する斜凸ブロック３３１を備え、しかも該表示ユニット３３の片面には該容置区１３が設置するウィンドウ部１３２と対応する２個の識別区３３２、３３３を備える。該２個の識別区３３２、３３３は赤、緑などの異なる識別色を備え、両端にはそれぞれ該結合台３１と該表示ユニット３３の弾性部品３４を連接する。こうして、上記の構成により全く新しい吸着力の探知装置を提供する。
【００１９】
それぞれ本考案の使用状態指示図、本考案の吸着状態断面指示図、本考案の緩み状態断面指示図である図３、４、５に示すように、本考案の使用時には、該吸着機構２の吸盤２１を設置しようとする壁面４上に対応接触させる。続いて、該レバー２４を動かし、該レバー２４一端のスリーブ２３を回転させる。これにより該スリーブ２３中のスタッフ２５はその外側壁のスライドブロック２５２を利用し、該導引部２３１の斜面２３１２から該平面２３１１上に滑動し、該スリーブ２３中のスタッフ２５は上方へと移動する。こうして、該吸盤２１の柱体２１１を弾き動かし、該吸盤２１は壁面４に密着し、該吸盤２１と該壁面４間の空気は排出される。
【００２０】
該吸着機構２が該吸盤２１と該壁面４の堅固な吸着を利用し、該吸着機構２が該壁面４上に吸着する時、同時に該探知機構３の圧迫固定ユニット３２は該結合台３１において露出するプローブ３２２を利用し、該壁面４上を圧迫し、同時に該表示ユニット３３の方向に向けて押す。こうして該圧迫固定ユニット３２の圧押ブロック３２１は両側の凹弧面３２１１により該表示ユニット３３内側壁の斜凸ブロック３３１を圧押、連動し、該表示ユニット３３を回転させ、しかも該弾性部品３４を圧縮する。これにより該表示ユニット３３の緑色識別区３３３は該容置区１３が設置するウィンドウ部１３１に対応し、該吸着機構２が該壁面４上に堅固に吸着していることを示す。
【００２１】
ある一定時間の使用により、組み立てが堅固ではない、或いは該レバー２４が該吸盤２１を引き動かし該壁面４に密着させることができなくなり、該吸着機構２に緩みの現象が発生すると、該圧迫固定ユニット３２のプローブ３２２は該壁面４上において的確な圧迫ができなくなる。この時、該圧押ブロック３２１両側の凹弧面３２１１と該表示ユニット３３の斜凸ブロック３３１間には緩み滑動が生じ、該弾性部品３４に圧縮が及ばなくなるため、該弾性部品３４は弾性回復力を生じ、該表示ユニット３３を連動し反対方向に回転させる。これにより該表示ユニット３３の赤色識別区３３２は該容置区１３が設置するウィンドウ部１３１に対応し、こうして該吸着機構２が該壁面４において堅固な吸着を失ったことを示し、使用者に該吸着機構２と該壁面４の吸着状況を知らせる。
【図面の簡単な説明】
【００２２】
【図１】本考案の立体分解指示図である。
【図２】本考案の立体外観指示図である。
【図３】本考案の使用状態指示図である。
【図４】本考案の吸着状態断面指示図である。
【図５】本考案の緩み状態断面指示図である。
【符号の説明】
【００２３】
１  ハウジング
１１  上蓋
１１１  欠口
１２  底台
１２１  穿孔
１３  容置区
１３１  ウィンドウ部
１３２  固定孔
２  吸着機構
２１  吸盤
２１１  柱体
２２  弾性部品
２３  スリーブ
２３１  導引部
２３１１  平面
２３１２  斜面
２４  レバー
２５  スタッフ
２５１  固定部品
２５２  スライドブロック
３  探知機構
３１  結合台
３１１  凹槽
３１２  穿孔
３１３  嵌接部
３２  圧迫固定ユニット
３２１  圧押ブロック
３２１１  凹弧面
３２２  プローブ
３３  表示ユニット
３３１  斜凸ブロック
３３２、３３３  識別区
３４  弾性部品
４  壁面
【図１】
0003132343.tif 000003
【図２】
0003132343.tif 000004
【図３】
0003132343.tif 000005
【図４】
0003132343.tif 000006
【図５】
0003132343.tif 000007